(57)【要約】【課題】商品を購入した際、又は、サービスを受けた際のレシート情報をＲＦＩＤ記憶媒体に電子情報として記憶・蓄積することで、電子情報機器に於いてレシート情報の伝送、加工、編集等が簡単に行なえるようにした電子レシートシステムを提供する。【解決手段】売り上げ金額を記録し、集計し、顧客向け明細書情報であるレシート情報を作成するレジスター基本機能手段及びＰＯＳ端末機能を具備するキャッシュレジスター１０と、ＲＦＩＤ記憶媒体から成り、レシート情報を記憶・蓄積する電子レシート２０とが無線通信自在に接続される電子レシートシステムであって、キャッシュレジスター１０は、レシート情報を電子レシート２０へ無線出力するための電子情報出力手段１２を備え、電子レシート２０は、電子情報出力手段１２から無線通信によってレシート情報を読取る情報読取手段２２と、情報記憶手段２３と、情報出力手段２４とを備えている。【選択図】図１
2010055233.tif 000002
【特許請求の範囲】
【請求項１】
商品やサービスの種類とその売り上げ金額などの入力をすると、内部の計算機能によりその金額を記録し、集計し、顧客向け明細書情報であるレシート情報を作成して印字するレジスター基本機能手段及びＰＯＳ端末機能を具備するキャッシュレジスターと、
ＲＦＩＤ記憶媒体から成り、前記レシート情報を記憶・蓄積する電子レシートとが無線通信自在に接続される電子レシートシステムであって、
前記キャッシュレジスターは、前記レシート情報を前記電子レシートへ無線出力するための電子情報出力手段を備え、
前記電子レシートは、前記電子情報出力手段から無線通信によって前記レシート情報を読取る情報読取手段と、
読み取ったレシート情報を記憶・蓄積する情報記憶手段と、
その記憶した情報を無線出力する情報出力手段とを備えていることを特徴とする電子レシートシステム。
【請求項２】
前記電子レシートに、前記レシート情報を加工・編集する電子情報機器が無線通信自在に接続される電子レシートシステムであって、
前記電子情報機器は、前記電子レシートから無線出力されるレシート情報を無線入力する入力手段と、
入力したレシート情報をアプリケーションソフトウエアによって加工・編集する手段と、
加工・編集した情報を出力する出力手段とを備えていることを特徴とする請求項１記載の電子レシートシステム。
【請求項３】
請求項１又は２記載の電子レシートシステムに於けるキャッシュレジスターであって、生成した前記レシート情報を出力する電子情報出力手段を備えたことを特徴とするキャッシュレジスター。
【請求項４】
前記レシート情報をシート製レシートで発行するシート製レシート発行装置と、
前記シート製レシート発行装置又は前記電子情報出力手段のいずれか又は両方を作動させるため切り換える切換え手段とを備えたことを特徴とする請求項３記載のキャッシュレジスター。
【請求項５】
請求項１又は２記載の電子レシートシステムに於ける電子レシートであって、
前記電子レシートは、ＰＯＳ端末機能を有するキャッシュレジスターの電子情報出力手段からレシート情報を読取る手段と、
その読み取ったレシート情報を記憶・蓄積する情報記憶手段と、
その記憶・蓄積してある情報を出力する情報出力手段とを備えたことを特徴とする電子レシート。
【請求項６】
前記ＲＦＩＤ記憶媒体が、非接触ＩＣカードであることを特徴とする請求項５記載の電子レシート。
【請求項７】
前記ＲＦＩＤ記憶媒体が、携帯電話に組み込まれていることを特徴とする請求項５又は６記載の電子レシート。
【請求項８】
読み取ったレシート情報の内容を前記携帯電話の出力画面に出力自在に構成されたことを特徴とする請求項７記載の電子レシート。
【発明の詳細な説明】
【技術分野】
【０００１】
本発明は、百貨店やスーパーマーケット、コンビニエンスストア等で商品を購入した際、又は、レストラン等の飲食店で食事をした際に発行されるレシートに記載されているレシート情報をＲＦＩＤ（Radio Frequency IDentification）記憶媒体に電子情報として読み取り、記憶し、出力できる電子レシートシステム及びそのキャッシュレジスター並びに電子レシートに関するものである。
尚、ＲＦＩＤとは、電波／電磁波を利用して非接触で読み出し／書き込みを行なうＩＤシステムのことで、バーコードに代わる、物流や製品管理の効率化を進める技術として研究・開発が進められているものである。
【背景技術】
【０００２】
現在、百貨店やスーパーマーケット、コンビニエンスストア等で商品を購入した場合や、レストラン等の飲食店で食事をした後には、キャッシュレジスター（ＰＯＳ端末を含む）から、購入した物や食事の内容と支払金額などの明細が記録されたレシートが印刷発行され、顧客に手渡しされている。これは、購入した商品の種類や食事の内容と支払金額の明細をその場で確認するのに役立つが、その後のレシート情報はあまり有効利用されていないのが実情である。そのため例えばスーパーマーケット、コンビニエンスストア等では、貰ったレシートを放置していったり、捨てていったりする人が少なくない。なぜなら、このレシート情報を簡単に記憶することが大変なうえ、あとで会計処理をしたり家計簿や小遣い帳に記入したりする場合には、当該レシートを保管しておき、後でレシート情報をいちいち書き込む必要があったが、これが面倒で大変な手間である。
【０００３】
近年は、パソコン等の会計処理ソフトや家計簿作成ソフト等のアプリケーションで経理処理を行うことが多くなっているが、その場合にも、レシートに印刷されている明細を目視で読み取り、キー入力を行わなければならないという面倒さがあった。
【０００４】
このようなレシート情報の入力作業の面倒さを解消するため、レシートにバーコードを付けておき、そのバーコードをバーコードリーダで読み取らせて、入力する方法について次のような提案がなされている。
【０００５】
特許文献１には、レシートに記載された２次元コードを読み取って、これを解析し、データベースに格納する入力システムが開示されている。
【特許文献１】特開２００２−３０４５１８号公報
【発明の開示】
【発明が解決しようとする課題】
【０００６】
前記従来技術では、バーコードでレシートに記載された情報を読み取りデータベースに格納する方法をとる場合には、貰ったレシートを無くさないように保存、管理しておく必要性があるし、後でバーコードリーダで読み取らせて、入力する作業が必要である。この際、一度読み取った情報を再度読み込んでしまい、記録される情報が二重になるような間違いも起こし易い。
近年パソコンの普及などによって、あらゆる情報が電子情報化される傾向がある中で、レシート情報についてだけは、いまだその大部分がレシートという紙に印刷された文字情報のままになって手渡されている。業者側は、これら顧客のレシート情報についても電子情報として所持し、分析して大いに活用している。しかし、顧客側は、当該レシート情報を、紙に印刷された文字情報として提供される場合がほとんどなので、その情報の活用がしにくいというのが実情であった。もし、この顧客向けのレシート情報を電子情報として簡便に出力提供してもらえれば、プライベートな出金処理情報として記憶・蓄積したり、分析したりして有効利用することができる。
【０００７】
以上の現状に鑑み、本発明は、商品を購入した際、又は、サービスを受けた際に発行されるレシートに記載されているレシート情報をＲＦＩＤ記憶媒体に電子情報として読み取り、記憶し、出力できるようにすることで、パソコンなどの電子情報機器と連結し、伝送したり各種のアプリケーションソフトウエアを利用した分析・管理等が、簡単にできるようになる電子レシートシステム及びそのキャッシュレジスター並びに電子レシートを提供することを目的とする。
【課題を解決するための手段】
【０００８】
上記の課題を解決すべく、本発明は以下の構成を提供する。
請求項１に係る発明は、商品やサービスの種類とその売り上げ金額などの入力をすると、内部の計算機能によりその金額を記録し、集計し、顧客向け明細書情報であるレシート情報を作成して印字するレジスター基本機能手段及びＰＯＳ端末機能を具備するキャッシュレジスターと、
ＲＦＩＤ記憶媒体から成り、前記レシート情報を記憶・蓄積する電子レシートとが無線通信自在に接続される電子レシートシステムであって、
前記キャッシュレジスターは、前記レシート情報を前記電子レシートへ無線出力するための電子情報出力手段を備え、
前記電子レシートは、前記電子情報出力手段から無線通信によって前記レシート情報を読取る情報読取手段と、
読み取ったレシート情報を記憶・蓄積する情報記憶手段と、
その記憶した情報を無線出力する情報出力手段とを備えていることを特徴とする電子レシートシステムを提供するものである。
【０００９】
請求項２に係る発明は、前記電子レシートに、前記レシート情報を加工・編集する電子情報機器が無線通信自在に接続される電子レシートシステムであって、
前記電子情報機器は、前記電子レシートから無線出力されるレシート情報を無線入力する入力手段と、
入力したレシート情報をアプリケーションソフトウエアによって加工・編集する手段と、
加工・編集した情報を出力する出力手段とを備えていることを特徴とする請求項１記載の電子レシートシステムを提供するものである。
【００１０】
請求項３に係る発明は、請求項１又は２記載の電子レシートシステムに於けるキャッシュレジスターであって、生成した前記レシート情報を出力する電子情報出力手段を備えたことを特徴とするキャッシュレジスターを提供するものである。
【００１１】
請求項４に係る発明は、前記レシート情報をシート製レシートで発行するシート製レシート発行装置と、
前記シート製レシート発行装置又は前記電子情報出力手段のいずれか又は両方を作動させるため切り換える切換え手段とを備えたことを特徴とする請求項３記載のキャッシュレジスターを提供するものである。
【００１２】
請求項５に係る発明は、請求項１又は２記載の電子レシートシステムに於ける電子レシートであって、
前記電子レシートは、ＰＯＳ端末機能を有するキャッシュレジスターの電子情報出力手段からレシート情報を読取る手段と、
その読み取ったレシート情報を記憶・蓄積する情報記憶手段と、
その記憶・蓄積してある情報を出力する情報出力手段とを備えたことを特徴とする電子レシートを提供するものである。
【００１３】
請求項６に係る発明は、前記ＲＦＩＤ記憶媒体が、非接触ＩＣカードであることを特徴とする請求項５記載の電子レシートを提供するものである。
【００１４】
請求項７に係る発明は、前記ＲＦＩＤ記憶媒体が、携帯電話に組み込まれていることを特徴とする請求項５又は６記載の電子レシートを提供するものである。
【００１５】
請求項８に係る発明は、読み取ったレシート情報の内容を前記携帯電話の出力画面に出力自在に構成されたことを特徴とする請求項７記載の電子レシートを提供するものである。
【発明の効果】
【００１６】
本発明よれば、従来、商品の購入やサービスを受けた際の支払い金額の明細を紙やシートに印刷されレシートとして手渡されていたレシート情報を電子情報化して、顧客が携帯し易いカードや携帯電話方式の電子レシートに簡単に読み取り、記憶・蓄積することが可能になる。その結果、顧客側が面倒な情報の入力作業をすることなくプライベートな出金管理をすることができ、当該レシート情報の有効活用が簡単に行なえる。
【００１７】
また、本発明は、ＲＦＩＤを用いているため、非接触でも簡単にレシート情報を電子情報化して、読み取り、記憶・保存することができるので便利である。また、そのレシート情報は、電子情報化されているので、他の電子情報機器との送受信（伝送）が容易となり、その中に組み込まれているアプリケーションソフトウエアとも簡単に連動させることができるので、当該レシート情報を目的に合わせて簡単に入力、加工、編集、分析、管理することができる。その結果、経理処理、家計簿作成、小遣い帳作成、出金伝票の作成などに多様な加工活用が簡単に行なえる。
【発明を実施するための最良の形態】
【００１８】
以下、実施例を示した図面を参照しつつ本発明の実施の形態を説明する。
尚、以下に述べるキャッシュレジスター、電子レシート、電子情報機器は、いずれもＣＰＵを備え、以下に述べる各手段は、ＣＰＵが必要なコンピュータプログラムを読み込んで実現する手段を含んでいる。
【００１９】
図１は、第１発明の一実施形態に係る電子レシートシステムの構成を示すブロック図である。
図１に示すように、第１発明に係る電子レシートシステムは、ＰＯＳ端末機能を含むキャッシュレジスター１０と電子レシート２０との組み合わせから成るシステムである。当該キャッシュレジスター１０には、本来機能である商品やサービス（役務）の種類とその売り上げ金額などの入力をすると、内部の計算機能によりその金額を記録し、集計し、顧客向け明細書情報であるレシート情報を作成して印字するレジスター基本機能手段１１を有するが、本発明にはその他に付加機能としてレシート情報を電子情報として出力できる電子情報出力手段１２が設けられている。
【００２０】
他方、電子レシート２０は、ＲＦＩＤ２１付の記憶媒体であって、キャッシュレジスター１０の電子情報出力手段１２からレシート情報を読取る情報読取手段２２と、その読み取ったレシート情報を記憶・蓄積しておく情報記憶手段２３と、その記憶・蓄積してあるレシート情報を出力し得る情報出力手段２４とを具備するものである。
【００２１】
このように構成されているキャッシュレジスター１０と電子レシート２０とを組み合わせることにより、キャッシュレジスター１０が作成したレシート情報を非接触のまま簡単に電子レシート内に読取り、記憶・蓄積し、更にその記憶・蓄積してある情報を出力することができるので、レシート情報をこれまで以上に有効利用することができる。
【００２２】
図２（ａ）は、前記電子レシート２０の一実施例としてのカード方式の電子レシート２０ａの斜視図である。これはＲＦＩＤの技術を用いている非接触型のＩＣカードであって、ＩＣチップとアンテナを有している。
図２（ｂ）は、前記電子レシート２０の一実施例として、ＲＦＩＤリーダライタ付き記憶媒体を携帯電話に組み込んだ携帯電話方式の電子レシート２０ｂを示す説明図である。図中２１は、携帯電話の中に組み込まれたＲＦＩＤリーダライタ付き記憶媒体である。このように携帯電話方式の電子レシート２０ｂの場合には、読み取ったレシート情報の内容を携帯電話の出力画面に出力できるようにすることが望ましい。
【００２３】
電子レシート２０がこのようにカード方式の場合も、携帯電話方式の場合も、人が常に携帯しており、必要な場合に非接触にかざすだけでレシート情報を簡単に読取、記憶・保存できるので、便利である。
【００２４】
図３は、前記キャッシュレジスター１０の一実施例を示す斜視図である。図中１１は、本来のレジスター機能を発揮するレジスター基本機能手段であり、１２は電子情報出力手段、１３はシート製レシート発行装置である。尚、前記電子情報出力手段１２又はシート製レシート発行装置１３のいずれかを作動させるため切り換える切換え手段は、例えば、図中に表示されるキーの何れかのキーに割当てられる。又、切換え手段は、電子情報出力手段１２又はシート製レシート発行装置１３のいずれか、或いは、両方を作動させるように切換える構成にすることも可能である。
【００２５】
図５は、第１発明に係る電子レシートシステムの処理の流れの一例を示すフローチャートを示す。まず、キャッシュレジスター１０の操作者が、キャッシュレジスター１０に、バーコード入力や、キー入力等により、商品やサービスの種類とその売り上げ金額などの入力をすると（ステップＳ１）、キャッシュレジスター１０は、内部の計算機能によりその金額を記録し、集計し（ステップＳ２）、レシート情報を作成する（ステップＳ３）。そして、切換え手段がシート製レシート発行装置１３及び前記電子情報出力手段１２のいずれも作動するように選択されている場合、シート製レシート発行装置１３により、そのレシート情報を印字する（ステップＳ４）。
【００２６】
又、電子レシート２０をキャッシュレジスター１０の電子情報出力手段１２にかざすと、レシート情報が電子レシート２０に対して出力され（ステップＳ５）、電子レシート２０は、情報読取手段２２により、出力されたレシート情報を読み取り（ステップＳ６）、読み取った情報を情報記憶手段２３によって電子レシート２０内のメモリーに記憶・蓄積する（ステップＳ７）。尚、切換え手段が、シート製レシート発行装置１３又は前記電子情報出力手段１２のいずれかを作動させるように選択されている場合、その選択に基づく作動が行なわれる。
【００２７】
そして、電子レシート２０は、電子レシート２０を携帯することにより、読み取った情報の他の装置への搬送が可能となり、電子レシート２０を適宜装置にかざすと電子レシート２０の情報出力手段２４によってレシート情報が、適宜装置に出力され読み取られる。
【００２８】
図４は、本発明の第２発明の一実施形態に係る電子レシートシステムの構成を示すブロック図であり、第２発明の一実施形態に係る電子レシートシステムはＰＯＳ端末を含むキャッシュレジスター１０と、電子レシート２０と、会計処理や家計簿作成や小遣い帳作成などのアプリケーションソフトウエア３１が組み込まれている電子情報機器３０との組み合わせから成るシステムである。電子情報機器３０は、例えばパソコンなどのように入力手段３２、出力手段３３の他に記憶手段やＣＰＵなどを備えており、アプリケーションソフトウエア３１が組み込まれている。即ち、当該電子レシートシステムは、電子情報化して電子レシート２０に記憶保存されたレシート情報を簡単に他の電子情報機器３０と連動して、加工、分析できるようにすることによって、当該レシート情報を更に高度に活用できるようにするシステムである。
【００２９】
この第２発明に係るキャッシュレジスター１０の構成や電子レシート２０の構成は、前記図１と共通しているので、ここでは説明を省略するが、本発明ではキャッシュレジスター１０や電子レシート２０の他に、更にアプリケーションソフトウエア３１が組み込まれている電子情報機器３０を組み合わせた構成にしたものであるので、前記キャッシュレジスター１０のレシート情報を電子レシート２０に読取り、記憶・蓄積するだけでなく、電子レシート２０のシート情報を更に電子情報機器のアプリケーションソフトウエア３１と連動させることができ、当該レシート情報をプライベートな出金情報として活用したり、他の電子情報機器との連動をすることにより、経理処理、家計簿作成、小遣い帳の作成、出金伝票の作成などにも入力作業の手間なく簡単に利用可能となり、利便性を高めることができる。
【００３０】
図６は、第２発明に係る電子レシートシステムの処理の流れの一例を示すフローチャートを示す。まず、キャッシュレジスター１０の操作者が、キャッシュレジスター１０に、バーコード入力や、キー入力等により、商品やサービスの種類とその売り上げ金額などの入力をすると（ステップＳ１）、キャッシュレジスター１０は、内部の計算機能によりその金額を記録し、集計し（ステップＳ２）、レシート情報を作成する（ステップＳ３）。そして、切換え手段がシート製レシート発行装置１３及び電子情報出力手段１２のいずれも作動するように選択されている場合、シート製レシート発行装置１３により、そのレシート情報を印字する（ステップＳ４）。
【００３１】
又、電子レシート２０をキャッシュレジスター１０の電子情報出力手段１２にかざすと、レシート情報が電子レシート２０に対して出力され（ステップＳ５）、電子レシート２０は、情報読取手段２２により、出力されたレシート情報を読み取り（ステップＳ６）、読み取った情報を情報記憶手段２３によって電子レシート２０内のメモリーに記憶・蓄積する（ステップＳ７）。尚、切換え手段が、シート製レシート発行装置１３又は前記電子情報出力手段１２のいずれかを作動させるように選択されている場合、その選択に基づく作動が行なわれる。
【００３２】
そして、電子レシート２０を携帯し、電子レシート２０を電子情報機器３０の入力手段３２にかざすと、電子レシート２０内のレシート情報は、電子レシート２０の情報出力手段２４によって出力され（ステップＳ８）、電子情報機器３０の入力手段３２によって電子情報機器３０内に入力され（ステップＳ１１）、アプリケーションソフトウエア３１によって経理処理、家計簿作成、小遣い帳作成、出金伝票の作成等のための所定のデータに加工又は編集される（ステップＳ１２）。加工又は編集された情報は、出力手段３３によって適宜表示又は印刷等の出力が行なわれる（ステップＳ１３）。又、電子情報機器３０に入力されたレシート情報は、アプリケーションソフトウエア３１によって、分析、管理も容易に行なえると共に、他の機器へ伝送することも可能である。
【産業上の利用可能性】
【００３３】
本発明は、スーパー及び百貨店等で商品を購入した際、ＰＯＳ端末機能を含むキャッシュレジスターが作成するレシート情報を携帯可能なカードや携帯電話の電子レシートに電子情報化して読取、記憶・保存することができる。その結果、顧客側が当該レシート情報を他の電子情報機器と連動して簡単に且つ有効に管理したり活用したりすることができる。
【図面の簡単な説明】
【００３４】
【図１】本発明による第１発明の一実施形態に係る電子レシートシステムの構成を示すブロック図である。
【図２】（ａ）本発明によるカード方式の電子レシートの斜視図である。（ｂ）本発明によるＲＦＩＤリーダライタ付き記憶媒体を携帯電話に組み込んだ携帯電話方式の電子レシートを示す説明図である
【図３】本発明によるキャッシュレジスターの斜視図である。
【図４】本発明による第２発明の一実施形態に係る電子レシートシステムの構成を示すブロック図である。
【図５】本発明による第１発明の処理の流れを示すフローチャート図である。
【図６】本発明による第２発明の処理の流れを示すフローチャート図である。
【符号の説明】
【００３５】
１０  キャッシュレジスター
１１  レジスター基本機能手段
１２  電子情報出力手段
１３  シート製レシート発行装置
２０，２０ａ，２０ｂ  電子レシート
２１  ＲＦＩＤ
２２  情報読取手段
２３  情報記憶手段
２４  情報出力手段
３０  電子情報機器
３１  アプリケーションソフトウエア
３２  入力手段
３３  出力手段
【図１】
2010055233.tif 000003
【図２】
2010055233.tif 000004
【図３】
2010055233.tif 000005
【図４】
2010055233.tif 000006
【図５】
2010055233.tif 000007
【図６】
2010055233.tif 000008